(57)【要約】【課題】  遮蔽部材に堆積した堆積物が、一対のリード線間に亘って連続的に堆積することを抑え、各リード線間に短絡が生じることを防ぐ。【解決手段】  内面に蛍光体膜が形成された発光管に設けられた電極部を備える。この電極部は、一対のリード線１１と、各リード線１１の基端部を支持するリード支持部１３と、各リード線１１間に跨って設けられたフィラメント１２と、各リード線１１間に跨って設けられリード支持部１３に付着する堆積物１４を遮蔽する絶縁材からなる遮蔽部材１５とを有する。そして、遮蔽部材１５には、リード線１１間の位置に、リード線１１の軸方向に貫通してスリット１８が設けられている。【選択図】  図１
2007026811.tif 000002
【特許請求の範囲】
【請求項１】
内面に蛍光体膜が形成された発光管に設けられた電極部を備え、
前記電極部は、一対のリード線と、前記各リード線間に跨って設けられたフィラメントと、前記各リード線の基端部を支持するリード支持部と、前記各リード線間に跨って設けられ前記リード支持部に付着する堆積物を遮蔽する絶縁材からなる遮蔽部材とを有する蛍光ランプであって、
前記遮蔽部材には、前記リード線間の位置に、前記リード線の軸方向に貫通して空隙が設けられている蛍光ランプ。
【請求項２】
前記空隙は、スリット状に形成されている請求項１に記載の蛍光ランプ。
【請求項３】
前記空隙は、前記遮蔽部材の外周縁から切り欠かれて形成されている請求項１に記載の蛍光ランプ。
【請求項４】
内面に蛍光体膜が形成された発光管に設けられた電極部を備え、
前記電極部は、一対のリード線と、前記各リード線間に跨って設けられたフィラメントと、前記各リード線の基端部を支持するリード支持部と、前記各リード線間に跨って設けられ前記リード支持部に付着する堆積物を遮蔽する絶縁材からなる遮蔽部材とを有する蛍光ランプであって、
前記遮蔽部材には、前記リード線間の位置に、前記リード線の軸方向に対して凹凸形状が形成されている蛍光ランプ。
【請求項５】
前記遮蔽部材は、略波形状に折曲されている請求項４に記載の蛍光ランプ。
【請求項６】
前記遮蔽部材は、前記フィラメントの長さ方向に平行な軸回りに捻られて形成されている請求項４に記載の蛍光ランプ。
【発明の詳細な説明】
【技術分野】
【０００１】
本発明は、内面に蛍光体膜が形成された発光管に電極部が設けられた蛍光ランプに関する。
【背景技術】
【０００２】
従来の蛍光ランプとしては、内面に蛍光体膜が形成された発光管の両端に設けられた電極部を備え、この電極部が、図８に示すように、一対のリード線１１１と、これら各リード線間に跨って設けられたフィラメント１１２と、各リード線１１１を支持するリード支持部１１３とを有している構成が知られている。
【０００３】
そして、この種の従来の蛍光ランプでは、発光管（不図示）内部に配置されたリード線１１１の基端部を支持するリード支持部１１３上に、フィラメント１１２に塗布されている物質や発光管内に封入されている水銀等が酸化したり、他の物質と反応したりすることで生成された電極飛散物質等が堆積物１１４として堆積してしまう。このような堆積物１１４に電流が通電することで、各リード線１１１間に短絡が生じた場合には、リード支持部１１３等が熱破壊されたりする問題がある。
【０００４】
このため、従来の蛍光ランプには、図９および図１０に示すように、各リード線１１１の基端部近傍のリード支持部１１３上に付着する堆積物１１４を遮蔽するための遮蔽部材１１５が、各リード線１１１間に跨って設けられたものがある。この遮蔽部材１１５によれば、リード支持部１１３上に堆積物１１４が付着することが抑えられる。
【０００５】
しかしながら、この従来の蛍光ランプでは、遮蔽部材１１５上に堆積した堆積物１１４が次第に大きくなるのに従って、各リード線１１１間に亘って堆積物１１４が連続して付着することによって、各リード線１１１間が短絡されてしまう場合がある。このような場合、照明装置では、蛍光ランプを点灯させるための例えば磁気式安定器や電子式安定器等が破損し、使用部品の異常な発熱等を誘発するおそれがある。
【０００６】
このような不都合の対策として、図１１に示すように、従来の蛍光ランプには、遮蔽部材１２５を一対のリード線１１１の一方に配置し、他方のリード線１１１と遮蔽部材１２５の外周縁との間に間隙１２６を確保する構成が提案されている。
【０００７】
また、遮蔽部材を備える従来の他の蛍光ランプとしては、一方のリード線と遮蔽部材の外周部との間に間隙を確保する構成が開示されている（例えば、特許文献１参照。）。
【特許文献１】特開２００２−３５８９３０号公報
【発明の開示】
【発明が解決しようとする課題】
【０００８】
上述したように、従来の蛍光ランプでは、図１２（ａ）に示すように、遮蔽部材が、遮蔽部材１２５に設けられた挿通穴１１７に、一方のリード線１１１のみが挿通されて固定される構成であった。このため、製造工程においてリード線１１１に対する遮蔽部材１２５の位置決めが困難であり、図１２（ｂ）に示すように、蛍光ランプの使用時等に遮蔽部材１２５がリード線１１１の軸回りに回転してしまう場合があり、遮蔽部材１２５によって遮蔽状態のバラツキがあり、信頼性が乏しかった。
【０００９】
そこで、本発明は、遮蔽部材上に堆積した堆積物が、一対のリード線間に亘って連続的に堆積することを抑え、各リード線間に短絡が生じることを防ぐことができる蛍光ランプを提供することを目的とする。
【課題を解決するための手段】
【００１０】
上述した目的を達成するため、本発明に係る蛍光ランプは、内面に蛍光体膜が形成された発光管に設けられた電極部を備える。この電極部は、一対のリード線と、各リード線間に跨って設けられたフィラメントと、各リード線の基端部を支持するリード支持部と、各リード線間に跨って設けられリード支持部に付着する堆積物を遮蔽する絶縁材からなる遮蔽部材とを有する。そして、遮蔽部材には、リード線間の位置に、リード線の軸方向に貫通して空隙が設けられている。
【００１１】
以上のように構成した本発明に係る蛍光ランプによれば、遮蔽部材に空隙が設けられたことで、遮蔽部材上に付着する堆積物がリード線間に亘って連続的に堆積することが抑えられる。また、この蛍光ランプによれば、遮蔽部材がリード線間に跨って設けられることで、リード線に対して遮蔽部材を容易に位置決めすることが可能にされる。
【００１２】
また、本発明係る蛍光ランプは、空隙が、スリット状に形成されてもよい。また、本発明に係る蛍光ランプは、空隙が、遮蔽部材の外周縁から切り欠かれて形成されてもよい。
【００１３】
また、本発明に係る他の蛍光ランプは、内面に蛍光体膜が形成された発光管に設けられた電極部を備える。この電極部は、一対のリード線と、各リード線間に跨って設けられたフィラメントと、各リード線の基端部を支持するリード支持部と、各リード線間に跨って設けられリード支持部に付着する堆積物を遮蔽する絶縁材からなる遮蔽部材とを有する。そして、遮蔽部材には、リード線間の位置に、リード線の軸方向に対して凹凸形状が形成されている。
【００１４】
以上のように構成した他の蛍光ランプによれば、遮蔽部材に凹凸形状が設けられたことで、遮蔽部材上に付着する堆積物がリード線間に亘って連続的に堆積することが抑えられる。また、この蛍光ランプによれば、遮蔽部材がリード線間に跨って設けられることで、リード線に対して遮蔽部材を容易に位置決めすることが可能にされる。
【００１５】
また、本発明に係る他の蛍光ランプは、遮蔽部材が、略波形状に折曲されてもよい。また、本発明に係る他の蛍光ランプは、遮蔽部材が、フィラメントの長さ方向に平行な軸回りに捻られて形成されてもよい。
【発明の効果】
【００１６】
上述したように本発明に係る蛍光ランプによれば、遮蔽部材に堆積した堆積物が、一対のリード線間に亘って連続的に堆積することを抑え、各リード線間に短絡が生じることを防ぐことができる。
【発明を実施するための最良の形態】
【００１７】
以下、本発明の具体的な実施形態について、図面を参照して説明する。
【００１８】
（第１の実施形態）
本実施形態の蛍光ランプは、図示しないが、内面に蛍光体膜が形成された発光管の両端に電極部が設けられている。発光管は、ガラス材によって直管状に形成され、アルゴンガス等の活性ガスと水銀が封入されている。
【００１９】
図１に示すように、この蛍光ランプの電極部は、一対のリード線１１と、これら各リード線１１間に跨って設けられたフィラメント１２と、各リード線１１の一端を支持するリード支持部１３とを有している。また、この電極部には、リード支持部１３上に付着する堆積物１４を遮蔽するための遮蔽部材１５が、各リード線１１に跨って設けられている。
【００２０】
遮蔽部材１５は、例えばセラミックス、石英、ガラス等の絶縁材によって平板状に形成されており、図２に示すように、各リード線１１が挿通される挿通穴１７が設けられている。遮蔽部材１５には、挿通穴１７内に各リード線１１が挿通されて固定されている。そして、この遮蔽部材１５には、各リード線１１間に位置して、堆積物１４が各リード線１１間に亘って連続的に堆積することを避けるための空隙としてのスリット１８が厚み方向に貫通して形成されている。
【００２１】
また、図３に示すように、遮蔽部材１５には、必要に応じて、複数のスリット１８が、各リード線１１の離間方向、つまりフィラメント１２の長さ方向に所定の間隔をあけて、各リード線１１間を遮るように設けられてもよい。このように複数のスリット１８が設けられることで、遮蔽部材１５は、遮蔽部材１５上に付着する堆積物１４が、各リード線１１間に亘って連続して付着することを更に良好に抑えることが可能になる。
【００２２】
また、遮蔽部材には、上述のスリット１８の代わりに、切り欠き部が設けられてもよい。図４に示すように、遮蔽部材２５は、挿通穴１７内に各リード線１１が挿通されて固定されており、各リード線１１間に位置して、切り欠き部２７が遮蔽部材２５の外周縁から切り欠かれて、各リード線１１間を遮るように設けられている。また、遮蔽部材２５は、必要に応じて、切り欠き部２７の大きさや切り欠き部２７の向きが適宜設定される。
【００２３】
以上のように構成された蛍光ランプの電極部について、遮蔽部材１５によってリード支持部１３上に付着する堆積物が遮蔽される状態を説明する。
【００２４】
電極部では、フィラメントに塗布されている例えばタングステン等の物質や発光管内の水銀等が酸化したり他の物質と反応したりすることで、電極飛散物質が生成され、この電極飛散物質が、遮蔽部材１５上に付着して堆積物１４として堆積する。また、遮蔽部材１５上に付着する堆積物１４は、遮蔽部材１５のスリット１８内を通過して、リード支持部１３上に付着する。
【００２５】
しかしながら、遮蔽部材１５上に堆積した堆積物１４は、スリット１８によって、各リード線１１間に亘って連続的に堆積することが抑えられる。また同様に、リード支持部１３上に付着した堆積物１４も、各リード線１１間に亘って連続的に堆積することが抑えられる。
【００２６】
上述したように、本実施形態の蛍光ランプによれば、スリット１８が各リード線１１間に位置して形成された遮蔽部材１５が、各リード線１１間に跨って設けられたことによって、遮蔽部材１５に堆積した堆積物１４が、各リード線１１間に亘って連続的に堆積することを良好に抑制することができる。したがって、この蛍光ランプによれば、各リード線１１間に短絡が生じることを防ぐことができる。
【００２７】
（第２の実施形態）
上述した第１の実施形態では、遮蔽部材にスリットや切り欠き等の空隙が設けられる構成が採られたが、遮蔽部材の外形形状によって、各リード線間に亘って堆積物が連続的に堆積することを避けるように構成されてもよい。なお、第２の実施形態は、遮蔽部材の構成を除いて、第１の実施形態と構成が同一であるため、同一部材には同一符号を付して説明を省略する。
【００２８】
図５に示すように、第２の実施形態の蛍光ランプが備える電極部は、各リード線１１の基端部に付着する堆積物１４を遮蔽する遮蔽部材３５が、各リード線１１に跨って設けられている。
【００２９】
遮蔽部材３５は、絶縁材によって平板状に形成されており、挿通穴１７内に各リード線１１が挿通されて固定されている。そして、この遮蔽部材３５は、各リード線１１間に位置して、リード線１１の長さ方向に対して凹凸をなす略波形状に形成されている。
【００３０】
以上のように構成された電極部では、波形状の遮蔽部材３５がなす凹部内から徐々に堆積物が付着するので、遮蔽部材３５上に付着する堆積物１４が、リード線１１間に亘って連続的に堆積することが抑えられる。
【００３１】
上述したように、本実施形態の蛍光ランプによれば、波形状の遮蔽部材３５が各リード線１１間に跨って設けられたことによって、遮蔽部材３５に堆積した堆積物１４が、各リード線１１間に亘って連続的に堆積することを良好に抑制することができる。したがって、この蛍光ランプによれば、各リード線１１間に短絡が生じることを防ぐことができる。
【００３２】
また、図示しないが、遮蔽部材には、主面上に、リード線１１の長さ方向と平行な複数の仕切壁が所定の間隔をあけて形成され、凹部をなす各仕切壁間から堆積物１４が徐々に堆積するように構成されてもよい。このような構成であっても、遮蔽部材３５と同様の効果が得られる。
【００３３】
また、上述した遮蔽部材３５は、波形状に形成されることで凹凸が形成されたが、遮蔽部材が立体構造をなすことで、凹凸が形成される形状であれば、他の形状であっても同様の効果が得られる。例えば図７に示すように、遮蔽部材４５は、波形状に形成される代わりに、フィラメント１２の長さ方向に平行な、この遮蔽部材４５の長手方向の軸回りに捻られることで、遮蔽部材４５全体で凹凸をなす形状に形成されている。この遮蔽部材４５によれば、遮蔽部材３５と同様に、リード線１１間に亘って堆積物１４が連続的に堆積することが困難にされており、リード線１１間に短絡が生じることを防ぐことができる。
【００３４】
なお、本発明に係る蛍光ランプは、上述した直管状ランプに限定されるものではなく、例えば円環状ランプ等に適用されてもよいことは勿論である。
【図面の簡単な説明】
【００３５】
【図１】第１の実施形態の蛍光ランプに設けられた電極部を示す側面図である。
【図２】遮蔽部材を示す平面図である。
【図３】他の遮蔽部材を示す平面図である。
【図４】更に他の遮蔽部材を示す平面図である。
【図５】第２の実施形態の蛍光ランプに設けられた電極部を示す側面図である。
【図６】遮蔽部材を示す平面図である。
【図７】他の遮蔽部材を示す平面図である。
【図８】従来の蛍光ランプに設けられた電極部を示す側面図である。
【図９】従来の蛍光ランプが備える遮蔽部材を説明するための側面図である。
【図１０】従来の遮蔽部材を示す平面図である。
【図１１】従来の他の蛍光ランプを示す側面図である。
【図１２】従来の他の遮蔽部材を説明するための平面図である。
【符号の説明】
【００３６】
１１  リード線
１２  フィラメント
１３  リード支持部
１４  堆積物
１５  遮蔽部材
１８  スリット
【図１】
2007026811.tif 000003
【図２】
2007026811.tif 000004
【図３】
2007026811.tif 000005
【図４】
2007026811.tif 000006
【図５】
2007026811.tif 000007
【図６】
2007026811.tif 000008
【図７】
2007026811.tif 000009
【図８】
2007026811.tif 000010
【図９】
2007026811.tif 000011
【図１０】
2007026811.tif 000012
【図１１】
2007026811.tif 000013
【図１２】
2007026811.tif 000014